(57)【要約】【課題】天井面に照明器具を取り付けることが容易でありかつ、薄型である照明器具を提供する。【解決手段】平板状の基板１５に半導体発光素子４を有する発光部２と、前記発光部２の略中央付近から外側に延びた前記発光部２を保持するアーム部３と、前記発光部２と前記アーム部３を有する照明器具１において、前記発光部２と前記アーム部３が略同一平面上に配置されてなることを特徴とする照明器具。さらに、前期アーム部３が等間隔に配置されていてもよい。【選択図】図１
2013175339.tif 000002
【特許請求の範囲】
【請求項１】
平板状の基板に半導体発光素子を有する発光部と、
前記発光部の略中央付近から外側に延びた前記発光部を保持するアーム部と、
前記発光部と前記アーム部を有する照明器具において、
前記発光部と前記アーム部が略同一平面上に配置されてなること
を特徴とする照明器具。
【請求項２】
請求項１記載の照明器具において、
前記アーム部が３本以上であり、
前記アーム部は等間隔に配置されていること
を特徴とする照明器具。
【請求項３】
請求項１または２記載の照明器具において、
前記アーム部の内部に空間部が形成され、かつ、
前記空間部に点灯制御部が収納されていることを特徴とする照明器具。
【請求項４】
請求項２を引用する請求項３記載の照明器具において、
前記点灯制御部は、
前記発光部の点灯を制御する点灯回路部と、
前記発光部の点灯状態を制御する制御回路部を有する構成であって、
前記点灯回路部と前記制御回路部がそれぞれ別々の空間部に収納されていることを特徴とする照明器具。
【請求項５】
請求項３または４いずれか１項記載の照明器具において、
前記アーム部が絶縁材料からなり、
前記点灯制御部が金属により覆われていることを特徴とする照明器具。
【請求項６】
請求項１から５いずれか１項記載の照明器具において、
前記発光部の直前に透光性カバーを有することを特徴とする照明器具。
【請求項７】
請求項１から６いずれか１項記載の照明器具において、
前記発光部は複数の光源ユニットからなることを特徴とする照明器具。
【請求項８】
請求項１から７いずれか１項記載の照明器具において、
前記アーム部の下面側に半導体発光素子を有することを特徴とする照明器具。
【発明の詳細な説明】
【技術分野】
【０００１】
本発明は、照明器具に関する。
【背景技術】
【０００２】
住宅等における室内の照明に用いられる照明装置として、環形蛍光灯を用いた照明器具が広く知られている。また、照明器具の薄型化を図るために、特許文献１記載の照明器具が提案されている。
【先行技術文献】
【特許文献】
【０００３】
【特許文献１】特開２００５−２３５５９８号公報
【発明の概要】
【発明が解決しようとする課題】
【０００４】
しかしながら、上記特許文献１における照明器具は、環形蛍光灯を用いることから、照明器具全体を均一に光らせることはできない。そのうえ、ランプ自体の写りこみができ、輝度むらが発生する。なお、環形蛍光灯の発光寿命が課題となっている。
【０００５】
本発明は、上記背景技術に鑑みてなされたものであり、半導体発光素子を用いることにより、より一層の薄型化、かつ、平面状の発光が可能となることから、輝度むらを防ぐことが可能となる。なお、半導体発光素子の発光寿命が蛍光灯よりも長いことにより、交換作業手間をも省くことが可能となる照明器具を提供する。
【課題を解決するための手段】
【０００６】
上記課題を解決するために本発明では、平板状の基板に半導体発光素子を有する発光部と、前記発光部の略中央付近から外側に延びた前記発光部を保持するアーム部と、前記発光部と前記アーム部を有する照明器具において、かつ、前記発光部と前記アーム部が略同一平面上に配置されてなることを特徴とする照明器具を用いる。
【０００７】
また、前記照明器具において、前記アーム部が３本以上であり、前記アーム部は等間隔に配置されていることを特徴とする照明器具であってもよい。
【０００８】
また、前記照明器具において、前記アーム部の内部に空間部が形成され、かつ、前記空間部に点灯制御部が収納されていることを特徴とする照明器具であってもよい。
【０００９】
また、前記照明器具において、前記点灯制御部は、前記発光部の点灯を制御する点灯回路部と、前記発光部の点灯状態を制御する制御回路部を有する構成であって、前記点灯回路部と前記制御回路部がそれぞれ別々の空間部に収納されていることを特徴とする照明器具であってもよい。
【００１０】
また、前記照明器具において、前記アーム部が絶縁材料からなり、前記点灯制御部が金属により覆われていることを特徴とする照明器具であってもよい。
【００１１】
また、前記記載の照明器具において、前記発光部の直前に透光性カバーを有することを特徴とする照明器具であってもよい。
【００１２】
また、前記照明器具において、前記発光部は複数の光源ユニットからなることを特徴と
する照明器具であってもよい。
【００１３】
また、前記照明器具において、前記アーム部の下面側に半導体発光素子を有することを特徴とする照明器具であってもよい。
【発明の効果】
【００１４】
本発明によれば、発光部に半導体発光素子を用いることにより、照明器具全体を輝度むらがなく、かつ、薄型化することができる。
【図面の簡単な説明】
【００１５】
【図１】本発明の実施形態１における照明器具１を斜め上から見た斜視図である。
【図２】実施形態１における照明器具１を斜め下からみた斜視図である。
【図３】実施形態１に用いる発光部２の斜め下からみた斜視図である。
【図４】実施形態１に用いるアーム部３およびふた部９の分解斜視図である。
【図５】実施形態１における点灯回路部の回路図である。
【図６】実施形態１における照明器具１の取付け時の斜め下からみた斜視図である。
【図７】実施形態１における照明器具１に透光性カバー１０を装着した際斜め下からみた斜視図である
【図８】実施形態１における照明器具１において、アーム部３にもＬＥＤ４を設けた際斜め下からみた斜視図である。
【図９】本発明の実施形態２における照明器具１の上面図である。
【発明を実施するための形態】
【００１６】
（実施形態１）
実施形態１における照明器具１について図１〜８に基づいて説明する。照明器具１は、以下に示す、発光部２とアーム部３を有している。発光部２は、平板状の基板１５に、ＬＥＤ４を実装した複数の光源ユニット６からなる。光源ユニット６には、入力端子（図示せず）と出力端子（図示せず）が備えられている。発光部２の略中心部には、器具取付け部５が設けられており、器具取付け部５を中心とし、外側方向に放射状に伸びた複数のアーム部３があって、これらのアーム部３は中心において結合されている。この器具取付け部５は照明器具１を天井に取り付ける際に使用する。
【００１７】
実施形態１では扇型の光源ユニット６を３枚用いることによって発光部２を形成している。基板１５同士を接合する際は、コネクタ７が用いられている。このコネクタ７は、基板１５同士を電気的に接続させることができる。
【００１８】
そして、複数のアーム部３は発光部２に対して略水平方向に伸び、光源ユニット６の端辺を基板装着部１１とふた部９に挟み込むことによって、光源ユニット６を保持している。このように保持することによって、発光部２とアーム部３は略同一平面上に配置される。
【００１９】
器具取付け部５の上面側には差込み刃５ａが設けられており、天井に設置されたアダプタ（図示せず）に差し込んで回転させることで、照明器具１を天井に着脱自在に取り付けることができる。この際、天井に設置されたアダプタ（図示せず、一般的に引っ掛けシーリングと呼ばれている）と器具取付け部５は電気的、機械的に接続される。このアダプタは、既存のものを用いることが可能である。
【００２０】
続いて基板１５の説明をする。基板１５は合成樹脂または金属性のいずれかであってもよい。金属性の場合は絶縁層を設ける必要がある。そして、絶縁層上にＬＥＤ４が実装されている。個々のＬＥＤ４同士は、電気的に並列または直列に接続されている。
【００２１】
また、基板１５を複数枚用いて発光部２を形成することで、いずれかの基板１５に何らかの障害が生じた際、当該障害が生じた基板１５のみを取り替えることで、修理の手間が低減される。その上、交換部品が少量で済むことを考慮すると、修理コストの低減も期待できる。製造過程においても、細分化した基板１５を量産することが可能となるので、大きな一枚の基板を製造するよりも、低コストかつ量産が可能となる。
【００２２】
また、実施形態１では、半導体発光素子としてＬＥＤ４を用いていることから、長期の光源寿命が期待できる。従来の蛍光灯よりもＬＥＤ４の光源寿命が長く、交換の手間を省くことを実現した。そして、蛍光灯であればランプ径が約２５ｍｍであるのに対し、ＬＥＤ４を用いることで、大幅な薄型化を実現することができる。
【００２３】
また、蛍光灯を光源として用いると、蛍光灯の近傍が、その他の部分よりも明るくなり、輝度むらが生じる。それに対し、ＬＥＤ４を発光部２に多数用いることで、面全体が発光し、発光部２が均一に光り輝度むらの問題を解消することができる。なお、光源にＬＥＤ４を用いず、有機ＥＬを用いることも可能である。有機ＥＬ発光素子も平面発光素子であるため、輝度むら問題を解消することが可能である。
【００２４】
また、環形の蛍光灯を光源として用いると、照明器具の中心付近には暗がりが発生してしまう。それに対し、光源としてＬＥＤ４を用いると照明器具１の中心付近にまで発光部２を設けることができ、照明器具１の中心付近の暗がりを防ぐことができる。それに加え、環形の蛍光灯を用いた照明器具と同等の照度を得るために必要な照明器具１の大きさは、従来の照明器具の大きさよりも小さく済ませることができる。なお、有機ＥＬ発光素子を用いても、同様の効果が期待できる。
【００２５】
また、発光部２の後面すなわち、天井面側にもＬＥＤ４を実装することで、天井面の照度を確保することが可能となる。前面および後面を照射することによって、部屋の空間に広がりを持たせることが可能となる。その結果、空間全体の美観を保つことのできる、薄型の照明器具１を提供することができる。
【００２６】
図４には、照明器具１の骨組みとなるアーム部３および基板装着部１１およびふた部９の展開図を示している。基板装着部１１は図４に示されるように、受け皿状の形態である。すなわち、基板装着部１１の上面から光源ユニット６が重なり合いその上から、ふた部９によって固定されている。また別々のアーム部３の任意のアーム部３の空間部８には、点灯回路部１２と制御回路部１３が設けられている（図５参照）。このように、点灯回路部１２と制御回路部１３を別々のアーム部３内に収納するこができる。別々のアーム部３の空間部８に、点灯回路部１２および制御回路部１３を設置することによって、それぞれ間隔をもって設置することができる。すなわち、点灯回路部１２から発生するノイズが制御回路部１３へ印加されるのを防止することができるため、照明器具１の誤作動を低減させることができる。
【００２７】
また、アーム部３が絶縁材料からなるので、発光部２表面と点灯回路部１２および制御回路部１３との間に電気的接続がなくなり、発光部２から発生するノイズがアーム部３に伝播して点灯回路部１２および制御回路部１３に印加されるのを防止することができる。また、点灯回路部１２および制御回路部１３を金属で覆うことで、照明器具１外部からのノイズの影響を低減させることができる。その結果、照明器具１の誤動作をさらに低減することができる。さらに、点灯回路部１２および制御回路部１３から発生するノイズが照明器具１外部に影響を与えることを防止することができる。
【００２８】
さらに、点灯回路部１２と制御回路部１３が収納された空間部８とは別の空間部８には
、外部のリモコン送信機（図示せず）からのリモコン信号を受信する受信部（図示せず）と、発光部２の調光レベル等の点灯状態や寿命時期を表示する点灯状態表示部１６とを備えたリモコン制御部（図示せず）が備えられている。（図２参照）
このように、アーム部３の内部に回路装置を収納することによって、アーム部３のみで照明器具１を形成することができ、構造が簡単であるとともに、薄型化かつデザイン性に優れた照明器具１を得ることができる。
【００２９】
そして、実施形態１では、奇数本のアーム部３を用いることにより、アーム部３同士が直線的に並ぶことがなく、偶数本のアーム部３を用いた場合に比べて方向性がなくなる。そのため、天井面等へ取り付けの際に、取り付ける方向を意識しなくてもよくなり、デザイン性、施工性に優れた照明器具１を得ることができる。さらに、３本以上のアーム部３を用いて発光部２を支持するため、照明器具１全体の安定性がよくなる。
【００３０】
また、奇数本のアーム部３のうち、３本のアーム部３を有する照明器具１であれば、図６に示すように、照明器具１を器具取付け部５に装着する際、指に引っ掛かる形状となり、装着が容易になる。
【００３１】
図７に示すように照明器具１には、透光性カバー１０を装着してもよい。透光性カバー１０を用いることによって、光の拡散または光色が容易に調整することが可能となる。透光性カバー１０の素材としては、アクリル樹脂またはガラス性などが考えられるが、その他の素材を用いてもよい。透光性カバー１０は止め具１４によってアーム部３と固定されている。
【００３２】
また、図８に示すように、アーム部３の床面側にＬＥＤ４を設けてもよい。アーム部３の表面上にＬＥＤ４を用いることで、高い照度を確保できると共に、アーム部３の暗がりを防ぎ、より美観性に富んだ照明器具１を提供することが可能となる。さらに、照明器具１全体が明るくなることで、輝度むらのよりよい改善につながる。
（実施形態２）
実施形態２に示す本発明の照明器具１を説明する（図９参照）。実施形態１と同構成を有する部分は説明を省略する。実施形態２ではアーム部３を偶数本有するものを示す。偶数本有していても、等間隔に整列、もしくは、バランスよく整列させることによって意匠的にも優れた照明器具１を提供することが可能となる。
【００３３】
また、照明器具１を天井面に取り付ける際においても、指の引掛りができ、実施形態１と同様、指に引っかかる形状となり、装着が容易となる。
【００３４】
また、図９で示すように発光部２を照明器具１の周囲を囲むように設けることも可能である。このように設けることによって、インテリアの一部として用いることも可能であり、使用場面が増える。
【産業上の利用可能性】
【００３５】
本発明は、小型化かつ意匠性に優れた照明器具を提供するものであって、室内空間において美観性を崩すことなく、限られた空間内を照明する際に活用することができる。
【符号の説明】
【００３６】
１  照明器具
２  発光部
３  アーム部
４  ＬＥＤ  （半導体発光素子）
５  器具取付け部
５ａ  差込み刃
６  光源ユニット
７  コネクタ
８  空間部
９  ふた部
１０  透光性カバー
１１  基板装着部
１２  点灯回路部（点灯制御部）
１３  制御回路部（点灯制御部）
１４  止め具
１５  基板
１６  点灯状態表示部
【図１】
2013175339.tif 000003
【図２】
2013175339.tif 000004
【図３】
2013175339.tif 000005
【図４】
2013175339.tif 000006
【図５】
2013175339.tif 000007
【図６】
2013175339.tif 000008
【図７】
2013175339.tif 000009
【図８】
2013175339.tif 000010
【図９】
2013175339.tif 000011